(57)【要約】【課題】硬貨の返却を迅速に行うことができる運賃箱を提供する。【解決手段】投入された硬貨Ｋと券類Ｔとを一対の券銭分離ローラ１４，１５で分離し、搬送面１６ｄが斜状に配置されかつ横方向Ｗへ向けて搬送面１６ｄが移動するベルトコンベヤ１６によって、分離した硬貨Ｋ及び分離した券類Ｔを搬送した後、それらを別々に回収する運賃箱１１であって、分離した硬貨Ｋは、ベルトコンベヤ１６の下方に配置された壁部２７に摺接しつつベルトコンベヤ１６によって搬送され、壁部２７には、搬送面１６ｄの搬送方向起端Ｅ１側に対応した位置に、開閉可能に構成されたシャッタ４１を設けた。【選択図】      図１
2006146582.tif 000002
【特許請求の範囲】
【請求項１】
投入された硬貨と券類とを券銭分離手段で分離し、搬送面が斜状に配置されかつ横方向へ向けて前記搬送面が移動するベルトコンベヤによって、前記分離した硬貨及び前記分離した券類を搬送した後、それらを別々に回収する運賃箱であって、
前記搬送面の搬送方向起端側に前記硬貨が落下するように前記券銭分離手段を配置し、
前記分離した硬貨は、前記ベルトコンベヤの下方に配置された壁部に摺接しつつ前記ベルトコンベヤによって搬送され、
前記壁部には、前記搬送方向起端側に対応した位置に、開閉可能に構成されたシャッタを設けたことを特徴とする運賃箱。
【請求項２】
前記券銭分離手段の下端部下方には、前記券銭分離手段から落下する前記分離された硬貨を、前記ベルトコンベヤの前記搬送方向起端側へ導くための硬貨ガイド部材を設けたことを特徴とする請求項１に記載の運賃箱。
【請求項３】
前記分離された硬貨の硬貨種類を検出する硬貨検出手段と、
前記硬貨検出手段によって検出された前記硬貨が所定の種類の硬貨の場合に、前記シャッタを開放する制御手段とを備えたことを特徴とする請求項１又は請求項２に記載の運賃箱。
【請求項４】
前記制御手段は、前記硬貨検出手段によって検出された前記硬貨が所定の種類の硬貨の場合に、前記シャッタを開放させると共に前記ベルトコンベヤを反転させる制御を行うことを特徴とする請求項３に記載の運賃箱。
【請求項５】
前記ベルトコンベヤの前記搬送面に対して対向するように設けられたカバー部材を備え、
前記カバー部材から突出するように設けられ、その先端が前記ベルトコンベヤの前記搬送面に当接するブラシ体を横方向へ向けて複数個配列し、
前記ベルトコンベヤの前記搬送面には、前記ブラシ体の下方に対応する位置に、該ベルトコンベヤから突出するように設けられた突起部を横方向へ向けて複数個配列したことを特徴とする請求項１乃至請求項４のうちいずれか１項に記載の運賃箱。
【請求項６】
前記シャッタは、回動可能に構成されたシャッタであり、
可動部を有する駆動手段と、
前記可動部と前記シャッタとを差動連結するクランク機構とを備え、
前記クランク機構は、前記シャッタに伸し掛かっている前記硬貨の重さによって前記シャッタを回動させず、前記駆動手段の前記可動部の可動に基づいて前記シャッタの開閉動作を行うように構成したことを特徴とする請求項１乃至請求項５のうちいずれか１項に記載の運賃箱。
【発明の詳細な説明】
【技術分野】
【０００１】
本発明は、例えば投入された券類と硬貨とを分離する運賃箱に関するものである。
【背景技術】
【０００２】
従来、券類と硬貨とを分離可能な運賃箱がバスなどの運賃支払いように用いられている（例えば、特許文献１参照）。
この運賃箱を図１４を用いて説明する。
【０００３】
図１４に示すように、運賃箱１０１は、一対の分離ローラ１０２，１０３と、搬送面１０４ａがほぼ水平に配置されたベルトコンベヤ１０４と、分離された硬貨の硬貨種類を検出する硬貨検出センサ１０５と、仕切板１０６とを備えている。
【０００４】
分離ローラ１０２，１０３の軸心は、互いに平行となっており、かつ斜状に傾いて配置されている。券類は、一対の分離ローラ１０２，１０３間を通過する。硬貨は、一対の分離ローラ１０２，１０３間を通過せず、その一対の分離ローラ１０２，１０３間上を滑り、該分離ローラ１０２，１０３の下端から落下する。硬貨が該分離ローラ１０２，１０３から落下する際に、硬貨検出センサ１０５により硬貨の硬貨種類が検出される。仕切板１０６は、ベルトコンベヤ１０４の搬送方向に沿って延びるように形成され、かつ搬送面１０４ａと若干離間して移動不能に配置されている。
【０００５】
上記一対の分離ローラ１０２，１０３にて分離された券類と硬貨は、仕切板１０６を境界にそれぞれ個別にベルトコンベヤ１０４上に落下する。券類と硬貨とが落下する位置は、ベルトコンベヤ１０４の搬送方向中央付近である。ベルトコンベヤ１０４は正転しており、券類と硬貨は、ベルトコンベヤ１０４の一端まで来ると、それぞれ落下し、対応する回収箱によりそれぞれ回収される。
【０００６】
運賃箱１０１は、硬貨検出センサ１０５が検出した硬貨が、所望の硬貨でない場合（例えば、外国の硬貨の場合）には、その硬貨を返却するようになっている。即ち、運賃箱１０１は、ベルトコンベヤ１０４を逆転させて該ベルトコンベヤ１０４の他端から落下させて返却する。
【特許文献１】特開平８−１７１６６５号公報
【発明の開示】
【発明が解決しようとする課題】
【０００７】
ところが、上記所望の硬貨でない硬貨を返却する場合には、その硬貨をベルトコンベヤ１０４の搬送方向中央付近から他端まで搬送しなければならず、その硬貨を返却するまでの時間がかかってしまうという問題があった。
【０００８】
本発明は、前述した事情に鑑みてなされたものであって、その目的は硬貨の返却を迅速に行うことができる運賃箱を提供することにある。
【課題を解決するための手段】
【０００９】
上記目的を達成するために、請求項１に記載の発明は、投入された硬貨と券類とを券銭分離手段で分離し、搬送面が斜状に配置されかつ横方向へ向けて前記搬送面が移動するベルトコンベヤによって、前記分離した硬貨及び前記分離した券類を搬送した後、それらを別々に回収する運賃箱であって、前記搬送面の搬送方向起端側に前記硬貨が落下するように前記券銭分離手段を配置し、前記分離した硬貨は、前記ベルトコンベヤの下方に配置された壁部に摺接しつつ前記ベルトコンベヤによって搬送され、前記壁部には、前記搬送方向起端側に対応した位置に、開閉可能に構成されたシャッタを設けた。
【００１０】
請求項２に記載の発明は、請求項１に記載の発明において、前記券銭分離手段の下端部下方には、前記券銭分離手段から落下する前記分離された硬貨を、前記ベルトコンベヤの前記搬送方向起端側へ導くための硬貨ガイド部材を設けた。
【００１１】
請求項３に記載の発明は、請求項１又は請求項２に記載の発明において、前記分離された硬貨の硬貨種類を検出する硬貨検出手段と、前記硬貨検出手段によって検出された前記硬貨が所定の種類の硬貨の場合に、前記シャッタを開放する制御手段とを備えた。
【００１２】
請求項４に記載の発明は、請求項３に記載の発明において、前記制御手段は、前記硬貨検出手段によって検出された前記硬貨が所定の種類の硬貨の場合に、前記シャッタを開放させると共に前記ベルトコンベヤを反転させる制御を行う。
【００１３】
請求項５に記載の発明は、請求項１乃至請求項４のうちいずれか１項に記載の発明において、前記ベルトコンベヤの前記搬送面に対して対向するように設けられたカバー部材を備え、前記カバー部材から突出するように設けられ、その先端が前記ベルトコンベヤの前記搬送面に当接するブラシ体を横方向へ向けて複数個配列し、前記ベルトコンベヤの前記搬送面には、前記ブラシ体の下方に対応する位置に、該ベルトコンベヤから突出するように設けられた突起部を横方向へ向けて複数個配列した。
【００１４】
請求項６に記載の発明は、請求項１乃至請求項５のうちいずれか１項に記載の発明において、前記シャッタは、回動可能に構成されたシャッタであり、可動部を有する駆動手段と、前記可動部と前記シャッタとを差動連結するクランク機構とを備え、前記クランク機構は、前記シャッタに伸し掛かっている前記硬貨の重さによって前記シャッタを回動させず、前記駆動手段の前記可動部の可動に基づいて前記シャッタの開閉動作を行うように構成した。
【００１５】
（作用）
請求項１に記載の発明によれば以下に示す作用を得る。券銭分離手段から落下した硬貨は、壁部における搬送方向起端側に到達する。即ち、券銭分離手段から落下した硬貨は、シャッタに到達する。そのため、投入された硬貨を返却する場合、搬送面の搬送方向起端側に対応した位置にあるシャッタを開放することにより、シャッタ部分からその硬貨を迅速に取り出すことが可能となる。よって、硬貨の返却作業を迅速に行える。
【００１６】
請求項２に記載の発明によれば、請求項１に記載の発明の作用に加えて以下に示す作用を得る。硬貨ガイド部材により、券銭分離手段にて分離された硬貨をベルトコンベヤの搬送方向起端側へ好適に導くことが可能となる。
【００１７】
請求項３に記載の発明によれば、請求項１又は請求項２に記載の発明の作用に加えて以下に示す作用を得る。券銭分離手段によって分離された硬貨が、特定の種類の硬貨である場合に自動的に返却することが可能となる。
【００１８】
請求項４に記載の発明によれば、請求項３に記載の発明の作用に加えて以下に示す作用を得る。返却したい硬貨が、ベルトコンベヤの搬送方向起端側よりも搬送方向終端側にある場合でも、返却することが可能となる。
【００１９】
請求項５に記載の発明によれば、請求項１乃至請求項４のうちいずれか１項に記載の発明の作用に加えて以下に示す作用を得る。ブラシ体の先端がベルトコンベヤの搬送面に当接しているため、そのブラシ体とその搬送面との間を券類が通過してしまうことが抑制される。一方、ブラシ体の先端がベルトコンベヤの搬送面に当接しているが、硬貨は券類よりも重みがあるため、硬貨は、そのブラシ体とその搬送面との間を通過することが可能となる。ベルトコンベヤが駆動中において、もし、ブラシ体と搬送面との間に硬貨が挟まったままでその硬貨が落下しない場合には、搬送面に設けられた突起部が硬貨に当接することにより、硬貨を落下させることが可能となる。
【００２０】
請求項６に記載の発明によれば、請求項１乃至請求項５のうちいずれか１項に記載の発明の作用に加えて以下に示す作用を得る。シャッタに硬貨が伸し掛かっていても、その硬貨の重みによってシャッタが回動することはない。それでいて、駆動手段の可動部を可動させることによってシャッタを開閉させることが可能となる。
【発明の効果】
【００２１】
本発明によれば、硬貨の返却を迅速に行うことができる。
【発明を実施するための最良の形態】
【００２２】
以下、本発明を具体化した一実施形態を図１〜図１３に従って説明する。
図１（ａ）は、運賃箱１１の一部破断模式斜視図であり、図１（ｂ）は、運賃箱１１を構成する各部品の電気的接続状態を示すブロック図である。図２（ａ）は、図１（ａ）のＡ−Ａ線矢視断面であり、図２（ｂ）は、運賃箱１１の部分側面図である。
【００２３】
図１（ａ）及び図２（ａ）に示すように、運賃箱１１は、ケース本体１２、券銭投入体１３、券銭分離手段としての一対の券銭分離ローラ１４，１５、ベルトコンベヤ１６、カバー部材としてのカバー体１７、複数のブラシ体１８を備えている。また、図１（ｂ）に示すように、運賃箱１１は、制御手段としての制御装置２０、一対の券銭分離ローラ１４，１５を駆動させるモータ２１、硬貨の硬貨種類を検出する硬貨検出手段としての硬貨検出センサ２２、前記ベルトコンベヤ１６を駆動させるモータ２３を備えている。制御装置２０は、モータ２１，２３の駆動を制御し、かつ硬貨検出センサ２２からの検出信号を入力するようになっている。
【００２４】
図１（ａ）及び図２（ａ）に示すように、ケース本体１２内には、一対の券銭分離ローラ１４，１５、ベルトコンベヤ１６、カバー体１７、複数のブラシ体１８、制御装置２０、モータ２１、硬貨検出センサ２２、モータ２３が搭載されている。券銭投入体１３は、ケース本体１２の上部に固定されている。券銭投入体１３を介してケース本体１２内へ硬貨Ｋと券類Ｔとが投入されるようになっている。
【００２５】
ケース本体１２には、一対の券銭分離ローラ１４，１５が回転可能に支持されている。この一対の券銭分離ローラ１４，１５は、券銭投入体１３の真下に配置されており、投入された硬貨Ｋと券類Ｔとがその一対の券銭分離ローラ１４，１５上に落ちるようになっている。
【００２６】
一対の券銭分離ローラ１４，１５は、図１（ａ）中の左側（以下、搬送方向起端Ｅ１側という）が下がるように傾いている。ちなみに、以下、図１（ａ）中の右側を搬送方向終端Ｅ２側という。この券銭分離ローラ１４，１５は、モータ２１が駆動することにより外周面の互いに向かい合う部分同士がそれぞれ下方へ移動するように回転するようになっている。一対の券銭分離ローラ１４，１５の間隔は、券類Ｔが通過可能で、かつ硬貨Ｋが通過できないように設定されている。
【００２７】
このため、券類Ｔは、券銭分離ローラ１４，１５の間を通過して、該券銭分離ローラ１４，１５の真下へ落下するようになっている。一方、硬貨Ｋは、券銭分離ローラ１４，１５上を滑ってゆき、券銭分離ローラ１４，１５の搬送方向起端Ｅ１側から落下するようになっている。前記硬貨検出センサ２２は、券銭分離ローラ１４，１５の搬送方向起端Ｅ１側から落下する硬貨Ｋの硬貨種類を検出するようになっている。このように、券銭分離ローラ１４，１５によって、券類Ｔと硬貨Ｋとが分離される。
【００２８】
ケース本体１２には、券銭分離ローラ１４，１５の下方に、ベルトコンベヤ１６が配置されている。ベルトコンベヤ１６は、一対のローラ１６ａ，１６ｂと、その両ローラ１６ａ，１６ｂに巻掛けられたベルト１６ｃとを備えている。ケース本体１２には、ベルトコンベヤ１６に対向するようにカバー体１７が固定されている。カバー体１７は、透明なアクリル板で形成されており、そのカバー体１７を介してベルト１６ｃの搬送面１６ｄを視認できるようになっている。
【００２９】
カバー体１７は、その下部を構成する斜状部２５と、その上部を構成する垂直部２６とを備えている。垂直部２６はガイド部に相当する。
斜状部２５は、ベルト１６ｃの搬送面１６ｄと平行になるように形成されている。垂直部２６は、斜状部２５の上部に一体に固定されている。垂直部２６は、地面に対してほぼ垂直となるように形成されている。言い換えると、垂直部２６は上方に向かうにつれ搬送面１６ｄから次第に離れるように形成されている。斜状部２５の高さ方向Ｈにおける中央には、複数のブラシ体１８が固定されている。複数のブラシ体１８は、互いに隣り合うもの同士で所定間隔をおいて横方向Ｗへ向けて配列されている。
【００３０】
ブラシ体１８は、その先端が搬送面１６ｄに当接されている。ブラシ体１８は、そのブラシ体１８の先端と搬送面１６ｄとの間を硬貨Ｋが通過することを許容する可撓性を有しており、かつブラシ体１８の先端と搬送面１６ｄとの間を券類Ｔが通過しないようになっている。ケース本体１２は、壁部２７を備えている。壁部２７は、ベルトコンベヤ１６の下方及び斜状部２５の下方に配置されている。壁部２７の搬送方向終端Ｅ２側には排出孔２７ａが形成されている。壁部２７の下面には、排出孔２７ａと対応する位置にシュータ２８が固定されている。
【００３１】
ベルトコンベヤ１６は、制御装置２０によって制御されたモータ２１の駆動に基づいて駆動する。モータ２１の駆動により、カバー体１７と対向する搬送面１６ｄは、搬送方向起端Ｅ１側から搬送方向終端Ｅ２側へ向かって（すなわち、横方向Ｗに）進むようになっている。
【００３２】
券銭分離ローラ１４，１５の真下へ落下した券類Ｔは、カバー体１７にガイドされ、ベルト１６ｃの搬送面１６ｄによりかかる。券類Ｔは、複数のブラシ体１８に阻まれて、複数のブラシ体１８上に位置する状態で、ベルトコンベヤ１６により搬送方向終端Ｅ２へ搬送され、図示しない券類回収箱に回収されるようになっている。
【００３３】
一方、券銭分離ローラ１４，１５の搬送方向起端Ｅ１側から落下した硬貨Ｋは、カバー体１７にガイドされ、かつブラシ体１８を通過して、壁部２７上に落ちる。硬貨Ｋは、壁部２７に摺接しつつ、ベルトコンベヤ１６により搬送方向終端Ｅ２へ向けて搬送される。ベルトコンベヤ１６にて搬送されて排出孔２７ａまで到達した硬貨Ｋは、排出孔２７ａ及びシュータ２８を介して図示しない硬貨回収箱に回収されるようになっている。
【００３４】
次に、運賃箱１１の細部の構成について説明する。
図１（ａ）及び図２（ｂ）に示すように、ケース本体１２は、支持部３０と、硬貨ガイド部材としての硬貨ガイド体３１とを備えている。
【００３５】
支持部３０は、板状をなしている。支持部３０は、ベルトコンベヤ１６の上方で、かつベルトコンベヤ１６とほぼ面一になるように配置されている。支持部３０のカバー体１７側の側面には、硬貨ガイド体３１が固定されている。硬貨ガイド体３１は、券銭分離ローラ１４，１５における搬送方向起端Ｅ１の真下に位置するように配置されている。硬貨ガイド体３１は、可撓性を備えていると共に断面Ｌ字状に形成されている。硬貨ガイド体３１は、支持部３０に固定されている固定部３１ａと、固定部の下端に一体に固定された撓み部３１ｂとを備えている。撓み部３１ｂは、搬送方向起端Ｅ１側が下がるように傾いた状態で配置されている。撓み部３１ｂは、固定部３１ａ側を基準として片持ち梁状に撓むようになっている。
【００３６】
この撓み部３１ｂは、券銭分離ローラ１４，１５における搬送方向起端Ｅ１からほぼ真下へ落下する硬貨Ｋと衝突し、その硬貨Ｋをベルトコンベヤ１６の搬送方向起端Ｅ１側へ落下させるように案内するためのものである。
【００３７】
図２（ａ），（ｂ）に示すように、ベルト１６ｃの搬送面１６ｄには、複数の突出部３５が形成されている。複数の突出部３５は、互いに隣り合うもの同士で所定間隔をおいて横方向Ｗへ向けて配列されている。各突出部３５は、各ブラシ体１８よりも上方に位置するように配置されている。また、互いに隣り合う突出部３５同士の間隔は、互いに隣り合うブラシ体１８同士の間隔よりも広くなるように設定されている。
【００３８】
図３（ａ）〜（ｄ）に示すように、ブラシ体１８の先端と搬送面１６ｄとの間に硬貨Ｋが挟まって該硬貨Ｋが壁部２７まで落下しない場合、それも該硬貨Ｋの大部分がブラシ体１８よりも上方に位置している場合に、搬送面１６ｄの横方向Ｗへの移動によって突出部３５が該硬貨Ｋを落下させるようになっている。
【００３９】
また、図２（ａ），（ｂ）に示すように、ベルト１６ｃの搬送面１６ｄには、複数の突起部３６が形成されている。複数の突起部３６は、互いに隣り合うもの同士で所定間隔をおいて横方向Ｗへ向けて配列されている。各突起部３６は、各ブラシ体１８よりも下方に位置するように配置されている。また、互いに隣り合う突起部３６同士の間隔は、互いに隣り合う突出部３５同士の間隔よりも広くなるように設定されている。
【００４０】
図４（ａ）〜（ｄ）に示すように、ブラシ体１８の先端と搬送面１６ｄとの間に硬貨Ｋが挟まって該硬貨Ｋが壁部２７まで落下しない場合、それも該硬貨Ｋの大部分がブラシ体１８よりも下方に位置している場合に、搬送面１６ｄの横方向Ｗへの移動によって突起部３６が該硬貨Ｋを落下させるようになっている。
【００４１】
図９に示すように、運賃箱１１は、その内部に硬貨排出機構４０を備えている。硬貨排出機構４０は、回動可能なシャッタ４１、可動部４２ａを有するソレノイド４２、可動部４２ａとシャッタ４１とを差動連結するクランク機構４３、及びシュータ４４を備えている。ソレノイド４２は駆動手段に相当する。
【００４２】
以下、説明の便宜上、図９、図１０、図１１において、右側を前端Ｅ３側、左側を後端Ｅ４側という。
図９に示すように、壁部２７の下面には、シュータ４４が固定されている。壁部２７の搬送方向起端Ｅ１側でかつ前端Ｅ３側の角部には、四角状の切欠き部２７ｂ（図１（ａ）参照）が形成されている。シャッタ４１は、その切欠き部２７ｂ内に配置され、かつ蝶番４５を介してシュータ４４に固定されている。シャッタ４１は、蝶番４５の固定回動軸Ｓ１を中心として回動するようになっている。固定回動軸Ｓ１の位置は、壁部２７の前端Ｅ３側の辺とほぼ対応した位置とされている。
【００４３】
ケース本体１２は、カバー体１７及びベルトコンベヤ１６の搬送方向起端Ｅ１側に側壁４６（図１（ａ）参照）を備えている。側壁４６のベルトコンベヤ１６とは反対側の側面４６ａには、ソレノイド４２及びクランク機構４３が配置されている。ソレノイド４２は、側壁４６に固定されている。クランク機構４３は、第１リンク４７、第２リンク４８、第３リンク４９、引張バネ５０、係止片５１を備えている。
【００４４】
第１リンク４７は、「へ」の字状をなすように形成され、その折れ曲がり部分が側壁４６の側面４６ａから突出した固定回動軸Ｓ２に回動可能に支持されている。第１リンク４７は、短板部４７ａと、その短板部４７ａに一体に連結された長板部４７ｂとにより構成されている。第１リンク４７は、短板部４７ａと長板部４７ｂとの境目から互いに折れ曲がるように形成されている。短板部４７ａにおける固定回動軸Ｓ２とは反対側の端部が、移動回動軸５２を介してソレノイド４２の可動部４２ａに対して回動可能に支持されている。長板部４７ｂにおける固定回動軸Ｓ２とは反対側の端部は、移動回動軸Ｆ１を介して第２リンク４８の一端に対して回動可能に支持されている。第２リンク４８における移動回動軸Ｆ１とは反対側の端部は、移動回動軸Ｆ２を介して第３リンク４９の一端に対して回動可能に支持されている。第３リンク４９における移動回動軸Ｆ２とは反対側の端部は、前記シャッタ４１に一体に固定されている。
【００４５】
係止片５１は、長板部４７ｂの上方に位置するように側壁４６の側面４６ａに固定されている。また、長板部４７ｂよりも上方には、側面４６ａから突出する固定部５３が形成されており、引張バネ５０は、その一端が固定部５３に固定されている。引張バネ５０のもう一端は、長板部４７ｂの長手方向の中程に固定されている。
【００４６】
ここで、ソレノイド４２とクランク機構４３との構成の関係を詳述する。
図９に示すように、ソレノイド４２は、電力が供給されていない場合には、可動部４２ａの突出量が最大となる。クランク機構４３は、可動部４２ａの突出量が最大の場合には、シャッタ４１を閉鎖させるように構成されている。
【００４７】
一方、図１１に示すように、ソレノイド４２は、電力が供給されている場合には、可動部４２ａの突出量が最小となる。クランク機構４３は、可動部４２ａの突出量が最小の場合には、シャッタ４１を開放させるように構成されている。
【００４８】
図９に示すように、ソレノイド４２に電力が供給されていない状態では、第１リンク４７の長板部４７ｂは、引張バネ５０の付勢力により係止片５１に圧接されている。長板部４７ｂが係止片５１に圧接している場合には、固定回動軸Ｓ２、移動回動軸Ｆ１、移動回動軸Ｆ２が一直線上（図９の直線Ｌ参照）に位置するように構成されている。また、固定回動軸Ｓ１は、この直線Ｌよりも下方に位置するように配置されている。
【００４９】
そして、図９、図１０、図１１に示すように、ソレノイド４２に電力が供給されると、移動回動軸Ｆ１が固定回動軸Ｓ２を中心として時計回り方向に回動することにより、シャッタ４１を開放するようになっている。
【００５０】
図１（ｂ）に示すように、ソレノイド４２は、制御装置２０に接続されており、該制御装置２０に制御されるようになっている。制御装置２０は、硬貨検出センサ２２を用いて、券銭分離ローラ１４，１５の搬送方向起端Ｅ１側から落下する硬貨Ｋが、所定の種類の硬貨（例えば、外国の硬貨）の場合に、シャッタ４１を開放させると共にベルトコンベヤ１６を所定量だけ反転させて、その硬貨Ｋをシュータ４４を介して排出する制御を行うようになっている。ここでいう、所定量とは、搬送面１６ｄを、一対のローラ１６ａ，１６ｂの間隔の４分の１の長さ分だけ搬送方向起端Ｅ１側へ移動させる量である。
【００５１】
また、図２（ｂ）及び図５に示すように、カバー体１７の垂直部２６には、高さ方向Ｈの全域に渡って形成されると共に、上方が開放した切欠き部５５が形成されている。切欠き部５５は、カバー体１７における横方向Ｗの中央よりも搬送方向終端Ｅ２側に形成されている。垂直部２６のベルトコンベヤ１６とは反対側の側面には、切欠き部５５を覆う遮蔽板５６が該垂直部２６に対して固定されている。遮蔽板５６は、カバー体１７と同様に透明なアクリル板で形成されている。垂直部２６のベルトコンベヤ１６側の側面２６ａには、この切欠き部５５と遮蔽板５６とにより凹状部５７が形成されている。
【００５２】
図６（ａ），（ｂ）に示すように、運賃箱１１は、硬貨Ｋがベルト１６ｃと垂直部２６とに支持されたままの状態で、その硬貨Ｋがベルトコンベヤ１６により搬送方向終端Ｅ２へ向けて搬送されている場合に、その硬貨Ｋの一部を凹状部５７に引っ掛けて壁部２７まで落とすようになっている。
【００５３】
さらに、図１（ａ）、図２（ｂ）、及び図７（ａ）〜（ｃ）に示すように、カバー体１７における斜状部２５のベルトコンベヤ１６側の側面２５ａ（図７（ｂ）参照）には、凹部５８が形成されている。図１（ａ）に示すように、凹部５８は、横方向Ｗにおける切欠き部２７ｂに対応する位置に形成されている。
【００５４】
図７（ｂ），（ｃ）に示すように、凹部５８は、搬送方向終端Ｅ２から搬送方向起端Ｅ１へ向けて次第に深くなるように形成されている。凹部５８の最も搬送方向起端Ｅ１側には、側面２５ａに対して直角となる側面５８ａが形成されている。運賃箱１１は、ベルトコンベヤ１６を反転駆動させて、開放しているシャッタ４１から硬貨Ｋを排出する場合に、塊状となっている２枚（複数枚）の硬貨Ｋが、ベルトコンベヤ１６の搬送面１６ｄと斜状部２５とに支持されたままの状態で搬送されていると次のような作用を奏する。２枚の硬貨Ｋの一部が、斜状部２５の凹部５８に入り込むことにより、塊状となっていた２枚の硬貨Ｋがバラバラになりシャッタ４１から排出される。特に、２枚の硬貨Ｋのうち一枚の硬貨Ｋが、側面５８ａに係止することにより、２枚の硬貨Ｋがバラバラになり易い。
【００５５】
また、図１（ａ）及び図８（ａ），（ｂ）に示すように、この凹部５８と同様の機能を備えた窪み部５９が、斜状部２５の側面２５ａに形成されている。窪み部５９は、横方向Ｗにおける排出孔２７ａに対応する位置に形成されている。窪み部５９は、その下方の底面５９ａが側面２５ａと平行になるように形成され、その上方の底面５９ｂが上方に向かうにつれ次第に浅くなるように形成されている。このため、凹部５８は、上記凹状部５７と同様の作用を奏する。
【００５６】
従って、本実施形態によれば、以下のような作用・効果を得ることができる。
（１）本実施形態では、ベルトコンベヤ１６は、搬送面１６ｄが斜状となるように配置した。ベルトコンベヤ１６の下方に壁部２７を配置し、その壁部２７には、搬送面１６ｄの搬送方向起端Ｅ１側に対応した位置にシャッタ４１を設けた。搬送面１６ｄの搬送方向起端Ｅ１側に硬貨Ｋが落下するように券銭分離ローラ１４，１５を配置した。即ち、券銭分離ローラ１４，１５から落下した硬貨Ｋは、シャッタ４１に到達する。そのため、投入された硬貨Ｋを返却する場合、搬送面１６ｄの搬送方向起端Ｅ１側に対応した位置にあるシャッタ４１を開放することにより、シャッタ４１部分からその硬貨Ｋを迅速に取り出すことが可能となる。よって、硬貨Ｋの返却作業を迅速に行うことができる。
【００５７】
（２）券銭分離ローラ１４，１５の下端部下方には、券銭分離ローラ１４，１５から落下する硬貨Ｋを、ベルトコンベヤ１６の搬送方向起端Ｅ１側へ導くための硬貨ガイド体３１を設けた。よって、硬貨ガイド体３１により、券銭分離ローラ１４，１５にて分離された硬貨Ｋを、ベルトコンベヤ１６の搬送方向起端Ｅ１側へ好適に導くことができる。
【００５８】
（３）制御装置２０は、硬貨検出センサ２２によって検出された硬貨Ｋが所定の種類の硬貨（例えば、外国の硬貨）の場合に、シャッタ４１を開放させ、かつベルトコンベヤ１６を所定量だけ反転させるようにした。よって、返却したい硬貨Ｋが、ベルトコンベヤ１６の搬送方向起端Ｅ１側よりも搬送方向終端Ｅ２側にある場合（ベルトコンベヤ１６の横方向Ｗの中央にある場合）でも、返却することができる。
【００５９】
（４）ブラシ体１８の先端がベルトコンベヤ１６の搬送面１６ｄに当接しているため、そのブラシ体１８とその搬送面１６ｄとの間を券類Ｔが通過してしまうことを抑制できる。一方、ブラシ体１８の先端がベルトコンベヤ１６の搬送面１６ｄに当接しているが、硬貨Ｋは券類Ｔよりも重みがあるため、硬貨Ｋは、そのブラシ体１８とその搬送面１６ｄとの間を通過することができる。ベルトコンベヤ１６が駆動中において、もし、ブラシ体１８と搬送面１６ｄとの間に硬貨Ｋが挟まったままでその硬貨Ｋが落下しない場合には、搬送面１６ｄに設けられた突起部３６（突出部３５）が硬貨Ｋに当接することにより、硬貨Ｋを落下させることができる。
【００６０】
（５）シャッタ４１に硬貨Ｋが伸し掛かっていても、その硬貨Ｋの重みによってシャッタ４１が回動することはない。それでいて、ソレノイド４２の可動部４２ａを可動させることによってシャッタ４１を開閉させることができる。
【００６１】
以下、この作用・効果について詳述する。
図１２（ｂ）は、図９の一部を拡大した図であり、図１２（ａ）は、図１２（ｂ）を模式的に示したものである。また、図１３（ｂ）は、図１０の一部を拡大した図であり、図１３（ａ）は、図１３（ｂ）を模式的に示したものである。
【００６２】
以下、説明の便宜上、図１２（ａ）及び図１３（ａ）において、固定回動軸Ｓ１と固定回動軸Ｓ２とを結ぶ線を第４リンク６１という。
図１２（ａ），（ｂ）では、長板部４７ｂと第２リンク４８とが一直線に配置されている。即ち、固定回動軸Ｓ２、移動回動軸Ｆ１、及び移動回動軸Ｆ２が一直線に配置されている。この状態で、ソレノイド４２の可動部４２ａを引っ込めると、長板部４７ｂが固定回動軸Ｓ２を中心として時計回り方向へ回動する。すると、移動回動軸Ｆ１も固定回動軸Ｓ２を中心として時計回り方向へ回動し、第２リンク４８も移動回動軸Ｆ１に連れ添って移動する。すると、移動回動軸Ｆ２に連結されている第３リンク４９（シャッタ４１）は、固定回動軸Ｓ１を中心として反時計回り方向へ回動する。この結果、シャッタ４１が開放される。即ち、ソレノイド４２の可動部４２ａの可動によりシャッタ４１が好適に開放できる。
【００６３】
次に、図１２（ａ），（ｂ）において、シャッタ４１に伸し掛かっている硬貨Ｋの重さにより、該シャッタ４１に対して開放させる方向への力が加わる場合、即ち、第３リンク４９（シャッタ４１）を固定回動軸Ｓ１を中心として反時計回り方向へ回動させようとする力が加わった場合について説明する。
【００６４】
図１２（ａ），（ｂ）では、長板部４７ｂと第２リンク４８とが一直線に配置されている。この状態で、第３リンク４９（シャッタ４１）が固定回動軸Ｓ１を中心として反時計回り方向へ回動しようとすると、固定回動軸Ｓ２と移動回動軸Ｆ２との間には、互いに距離を縮めようとする力が加わる（図１２（ａ）参照）。しかしながら、固定回動軸Ｓ２、移動回動軸Ｆ１、及び移動回動軸Ｆ２は一直線に配置されているため、長板部４７ｂと第２リンク４８とが移動回動軸Ｆ１を中心として折れ曲がることがない。そのため、固定回動軸Ｓ２と移動回動軸Ｆ２との距離が縮まることがなく、この結果、第３リンク４９（シャッタ４１）は、固定回動軸Ｓ１を中心として反時計回り方向へ回動することができない。よって、シャッタ４１に伸し掛かっている硬貨Ｋの重さにより、該シャッタ４１に開放させる方向への力が加わっても、シャッタ４１は開放することがない。
【００６５】
ちなみに、図１３（ａ），（ｂ）の状態において、シャッタ４１に伸し掛かっている硬貨Ｋの重さにより、該シャッタ４１に開放させる方向への力が加わる場合、即ち、第３リンク４９（シャッタ４１）を固定回動軸Ｓ１を中心として反時計回り方向へ回動させようとする力が加わった場合については以下の作用を奏する。
【００６６】
図１３（ａ），（ｂ）では、移動回動軸Ｆ１が第４リンク６１に近づいており、この結果、固定回動軸Ｓ２、移動回動軸Ｆ１、及び移動回動軸Ｆ２によって三角形が形成されている。この状態で、第３リンク４９（シャッタ４１）が固定回動軸Ｓ１を中心として反時計回り方向へ回動しようとすると、固定回動軸Ｓ２と移動回動軸Ｆ２との間には、互いに距離を縮めようとする力が加わる（図１３（ａ）参照）。すると、移動回動軸Ｆ１は、第４リンク６１へ向けて移動し、固定回動軸Ｓ２と移動回動軸Ｆ２との距離が縮まる。この結果、第３リンク４９（シャッタ４１）が固定回動軸Ｓ１を中心として反時計回り方向へ回動する。
【００６７】
よって、図１２（ａ），（ｂ）に示すように、ソレノイド４２に電力が供給されていない状態では、固定回動軸Ｓ２、移動回動軸Ｆ１、及び移動回動軸Ｆ２が一直線に配置されていることにより、シャッタ４１に伸し掛かっている硬貨Ｋの重さにより、該シャッタ４１に開放させる方向への力が加わっても、シャッタ４１は開放することがない。
【００６８】
（６）カバー体１７の斜状部２５に凹部５８を形成した。塊状となっている複数枚の硬貨Ｋが、ベルトコンベヤ１６の搬送面１６ｄと斜状部２５とに支持されたままの状態で搬送されている場合に、その硬貨Ｋの一部が斜状部２５の凹部５８に入り込むことにより、塊状となっていた複数枚の硬貨Ｋがバラバラになりシャッタ４１から排出することができる。また、カバー体１７の斜状部２５に形成した窪み部５９も凹部５８と同様の作用・効果を奏する。
【００６９】
（７）カバー体１７の垂直部２６に凹状部５７を形成した。よって、硬貨Ｋが、ベルトコンベヤ１６の搬送面１６ｄと垂直部２６とに支持されたままの状態で搬送されている場合に、その硬貨Ｋの一部を垂直部２６の凹状部５７に引っ掛けて落下させることができる。
【００７０】
（別例）
なお、前記実施形態は、以下の態様に変更してもよい。
・前記実施形態では、運賃箱１１は、カバー体１７には窪み部５９、凹状部５７、及び凹部５８を備えていた。この窪み部５９、凹状部５７、及び凹部５８のうち少なくとも一つを省略して運賃箱１１を構成してもよい。
【００７１】
・前記実施形態では、ベルト１６ｃの搬送面１６ｄに複数の突起部３６を形成していたが、この突起部３６を省略してもよい。
・前記実施形態では、シャッタ４１の開閉を制御装置２０にて制御していたが、手動でシャッタ４１を開閉可能に構成してもよい。
【００７２】
・前記実施形態では、支持部３０には、硬貨ガイド体３１を固定していたが、この硬貨ガイド体３１を省略してもよい。この硬貨ガイド体３１を省略しても、ほとんどの硬貨Ｋを券銭分離ローラ１４，１５から搬送面１６ｄの搬送方向起端Ｅ１側に落下させることができる。
【００７３】
・前記実施形態では、運賃箱１１は、シャッタ４１を回動可能に構成していたが、スライド方式に構成してもよい。
なお、券類とは、例えば、乗車地を記録した整理券または降車地を記録した乗継券であって、整理券は乗車時に発行され、乗継券は降車時に発行されるものである。
【００７４】
次に、上記各実施形態及びその態様の変更から把握できる技術的思想について以下に追記する。
（イ）前記カバー部材における前記搬送面と対向する側面には、前記搬送面の搬送方向起端側でかつ前記壁部側の位置に凹部を設けたことを特徴とする請求項１乃至請求項６のうちいずれか１項に記載の運賃箱。このように構成すると、塊状となっている複数枚の硬貨が、ベルトコンベヤの搬送面とカバー部材とに支持されたままの状態で搬送されている場合に、その硬貨の一部がカバー部材の凹部に入り込むことにより、塊状となっていた複数枚の硬貨がバラバラになりシャッタから排出可能となる。
【００７５】
（ロ）前記カバー部材は、そのカバー部材の上部を構成すると共に上方に向かうにつれ前記搬送面から次第に離れるような斜状に設けられたガイド部を備え、前記ガイド部における前記搬送面と対向する側面には、該ガイド部の下端から上端までかけて延びる凹状部が設けられていることを特徴とする請求項１乃至請求項６、技術的思想（イ）のうちいずれか１項に記載の運賃箱。ガイド部は、落下してくる硬貨と券類とをガイドするためのものである。硬貨が、ベルトコンベヤの搬送面とガイド部とに支持されたままの状態で搬送されている場合に、その硬貨の一部をガイド部の凹状部に引っ掛けて落下させることが可能となる。
【図面の簡単な説明】
【００７６】
【図１】（ａ）は、運賃箱の一部破断模式斜視図。（ｂ）は、運賃箱を構成する各部品の電気的接続状態を示すブロック図。
【図２】（ａ）は、図１（ａ）のＡ−Ａ線矢視断面。（ｂ）は、運賃箱の部分側面図。
【図３】（ａ）〜（ｄ）は、突出部の作用を示す説明図。
【図４】（ａ）〜（ｄ）は、突起部の作用を示す説明図。
【図５】図１（ａ）のＢ−Ｂ線矢視断面。
【図６】（ａ）は、図１（ａ）のＡ−Ａ線矢視断面であり、凹状部の作用を示す説明図。（ｂ）は、図１（ａ）のＣ−Ｃ線矢視断面であり、凹状部の作用を示す説明図。
【図７】（ａ）は、斜状部に形成された凹部を示す正面図。（ｂ），（ｃ）は、図７（ａ）のＤ−Ｄ線矢視断面であり、凹部の作用を示す説明図。
【図８】（ａ）は、斜状部に形成された窪み部を示す正面図。（ｂ）は、図８（ａ）のＥ−Ｅ線矢視断面。
【図９】運賃箱内の硬貨排出機構、シャッタ、及びソレノイドを示し、シャッタが閉鎖している状態を示す側面図。
【図１０】同じく、シャッタが少し開放した状態を示す側面図。
【図１１】同じく、シャッタが完全に開放した状態を示す側面図。
【図１２】（ａ）は、図１２（ｂ）を模式的に示した作用図。（ｂ）は、図９の一部を拡大した拡大図。
【図１３】（ａ）は、図１３（ｂ）を模式的に示した作用図。（ｂ）は、図１０の一部を拡大した拡大図。
【図１４】従来技術における運賃箱の概略斜視図。
【符号の説明】
【００７７】
１１…運賃箱、１４，１５…券銭分離手段としての券銭分離ローラ、１６…ベルトコンベヤ、１６ｄ…搬送面、１７…カバー部材としてのカバー体、１８…ブラシ体、２０…制御手段としての制御装置、２２…硬貨検出手段としての硬貨検出センサ、２７…壁部、３１…硬貨ガイド部材としての硬貨ガイド体、３６…突起部、４１…シャッタ、４２…駆動手段としてのソレノイド、４２ａ…可動部、４３…クランク機構、Ｅ１…搬送方向起端、Ｋ…硬貨、Ｔ…券類、Ｗ…横方向。
【図１】
2006146582.tif 000003
【図２】
2006146582.tif 000004
【図３】
2006146582.tif 000005
【図４】
2006146582.tif 000006
【図５】
2006146582.tif 000007
【図６】
2006146582.tif 000008
【図７】
2006146582.tif 000009
【図８】
2006146582.tif 000010
【図９】
2006146582.tif 000011
【図１０】
2006146582.tif 000012
【図１１】
2006146582.tif 000013
【図１２】
2006146582.tif 000014
【図１３】
2006146582.tif 000015
【図１４】
2006146582.tif 000016